(57)【要約】  病院の容器間で生物医学的流体の移動と調薬を行なうためのデバイス（１）は、生物医学的流体（Ｆ１、Ｆ２、Ｆ３、Ｆ４）を収容するための注射器本体（２）と、注射器本体（２）の中を摺動するように密閉式に嵌め込まれたピストン（３）とを備えており、注射器本体（２）は、そこから生物医学的流体（Ｆ１、Ｆ２、Ｆ３、Ｆ４Ｆ）を取り出す少なくとも１つの第１の容器（Ｒ１、Ｒ２、Ｒ３、Ｒ４）と、その中に生物医学的流体（Ｆ１、Ｆ２、Ｆ３、Ｆ４）を計量投与する少なくとも１つの第２の容器（Ｐ１、Ｐ２、Ｐ３、Ｐ４）に結合するための結合手段（４）を有する第１の先端（２ａ）と、第１の先端（２ａ）の反対側の第２の先端（２ｂ）とを備え、デバイス（１）は、ユーザが手で把持することを目的とし、注射器本体（２）の第２の先端（２ｂ）に固定するための結合シート（１０）を有するハンドル（９）と、ピストン（３）を押すのに適した推力ロッド（１３）を操作するためにハンドル（９）内に設置された電動式手段（１２）と、結合シート（１０）と、注射器本体（２）の第２の先端（２ｂ）の間に配置された第１の一時固定手段（１６、１７）と、ピストン（３）と推力ロッド（１３）の間に配置された第２の一時固定手段（１８、１９）と、ハンドル（９）上に設置された制御手段（２０、２１）であって、電動式手段（１２）に対応付けられ、第１の容器（Ｒ１、Ｒ２、Ｒ３、Ｒ４）から取り出す生物医学的流体（Ｆ１、Ｆ２、Ｆ３、Ｆ４）の量と、第２の容器（Ｐ１、Ｐ２、Ｐ３、Ｐ４）に計量投与する生物医学的流体（Ｆ１、Ｆ２、Ｆ３、Ｆ４）の量の両方を容積測定式に投与するのに適した制御手段（２０、２１）とを備える。【選択図】図１
2013542802.tif 000002
【特許請求の範囲】
【請求項１】
病院の容器間で生物医学的流体の移動と調薬を行なうことを目的とし、生物医学的流体（Ｆ１、Ｆ２、Ｆ３、Ｆ４）を収容するための少なくとも１つの注射器本体（２）と、前記注射器本体（２）の中を摺動するように密閉式に嵌め込まれた少なくとも１つのピストン（３）とを備えるデバイス（１）において、前記注射器本体（２）が、そこから前記生物医学的流体（Ｆ１、Ｆ２、Ｆ３、Ｆ４）を取り出す少なくとも１つの第１の容器（Ｒ１、Ｒ２、Ｒ３、Ｒ４）と、その中に前記生物医学的流体（Ｆ１、Ｆ２、Ｆ３、Ｆ４）を計量投与する少なくとも１つの第２の容器（Ｐ１、Ｐ２、Ｐ３、Ｐ４）に結合するための結合手段（４）を有する第１の先端（２ａ）と、前記第１の先端（２ａ）の反対側の第２の先端（２ｂ）とを備えるデバイス（１）であって、
−ユーザが手で把持することを目的とし、前記注射器本体（２）の前記第２の先端（２ｂ）に固定するための結合シート（１０）を有するハンドル（９）と、
−前記ピストン（３）を押すのに適した推力ロッド（１３）を操作するために前記ハンドル（９）内に設置された電動式手段（１２）と、
−前記結合シート（１０）と、前記注射器本体（２）の前記第２の先端（２ｂ）の間に配置された第１の一時固定手段（１６、１７）と、
−前記ピストン（３）と前記推力ロッド（１３）の間に配置された第２の一時固定手段（１８、１９）と、
−前記ハンドル（９）上に設置された制御手段（２０、２１）であって、前記電動式手段（１２）に対応付けられ、前記第１の容器（Ｒ１、Ｒ２、Ｒ３、Ｒ４）から取り出す前記生物医学的流体（Ｆ１、Ｆ２、Ｆ３、Ｆ４）の量と、前記第２の容器（Ｐ１、Ｐ２、Ｐ３、Ｐ４）に計量投与する前記生物医学的流体（Ｆ１、Ｆ２、Ｆ３、Ｆ４）の量の両方を容積測定式に投与するのに適した制御手段（２０、２１）とを備えるデバイス（１）。
【請求項２】
前記制御手段（２０、２１）が、前記電動式手段（１２）の少なくとも１つの処理および制御装置（２０）を備えることを特徴とする、請求項１に記載のデバイス（１）。
【請求項３】
前記処理および制御装置（２０）が、プログラム可能なタイプであることにより、取り出すおよび／または計量投与する前記量の生物医学的流体（Ｆ１、Ｆ２、Ｆ３、Ｆ４）を設定することを特徴とする、請求項１または２に記載のデバイス（１）。
【請求項４】
前記制御手段（２０、２１）が、前記電動式手段（１２）の少なくとも１つの制御インターフェース（２１）を備える、請求項１から３のいずれか一項に記載のデバイス（１）。
【請求項５】
前記ハンドル（９）上に設定され、前記処理および制御装置（２０）の作動パラメータを示すのに適したディスプレイ手段（２３）を備えることを特徴とする、請求項１から４のいずれか一項に記載のデバイス（１）。
【請求項６】
前記ハンドル（９）が、前記注射器本体（２）と前記ピストン（３）の少なくとも一方を識別する識別手段（２４）を備えることを特徴とする、請求項１から５のいずれか一項に記載のデバイス（１）。
【請求項７】
前記識別手段（２４）が、前記処理および制御装置（２０）に対応付けられており、前記注射器本体（２）と前記ピストン（３）の少なくとも一方が識別されない場合、前記電動式手段（１２）の作動を阻止するのに適することを特徴とする、請求項１から６のいずれか一項に記載のデバイス（１）。
【請求項８】
前記識別手段（２４）が、バーコードリーダー、光リーダー、電磁リーダーを有するリストから選択された特定のリーダーの中の少なくとも１つであることを特徴とする、請求項１から７のいずれか一項に記載のデバイス（１）。
【請求項９】
前記ハンドル（９）が、前記第１の一時固定手段（１６、１７）と、前記第２の一時固定手段（１８、１９）の少なくとも一方の正確な結合状態を認識するための認識手段を備えることを特徴とする、請求項１から８のいずれか一項に記載のデバイス（１）。
【請求項１０】
前記認識手段が、前記処理および制御装置（２０）に対応付けられており、前記第１の一時固定手段（１６、１７）と、前記第２の一時固定手段（１８、１９）の少なくとも一方の結合状態が正しくない場合、前記電動式手段（１２）の作動を阻止するのに適していることを特徴とする、請求項１から９のいずれか一項に記載のデバイス（１）。
【請求項１１】
前記第１の一時固定手段（１６、１７）と、前記第２の一時固定手段（１８、１９）の少なくとも一方が、バヨネット式であることを特徴とする、請求項１から１０のいずれか一項に記載のデバイス（１）。
【請求項１２】
前記ハンドル（９）内に設置された前記電動式手段（１２）の少なくとも１つの電源電池（１４）を備えることを特徴とする、請求項１から１１のいずれか一項に記載のデバイス（１）。
【請求項１３】
前記第１の先端（２ａ）が、前記結合手段（４）を支える先端キャップ（５）で終端していることを特徴とする、請求項１から１２のいずれか一項に記載のデバイス（１）。
【請求項１４】
前記結合手段（４）が、ルアーおよび／またはルアーロック式であることを特徴とする、請求項１から１３のいずれか一項に記載のデバイス（１）。
【請求項１５】
前記第２の先端（２ｂ）が、前記推力ロッド（１３）が通過するための穴（７）を有する少なくとも１つの断面の分離壁（６）を備えることを特徴とする、請求項１から１４のいずれか一項に記載のデバイス（１）。
【請求項１６】
前記推力ロッド（１３）が、前記結合シート（１０）に対応して前記ハンドル（９）から外に出ていくことを特徴とする、請求項１から１５のいずれか一項に記載のデバイス（１）。
【請求項１７】
前記ハンドル（９）が、人間工学的な形状であり、少なくとも一部が、滑り止め材（１１）であることを特徴とする、請求項１から１６のいずれか一項に記載のデバイス（１）。
【発明の詳細な説明】
【技術分野】
【０００１】
本発明は、病院の容器間で生物医学的流体の移動と調薬を行なうためのデバイスに関する。
【背景技術】
【０００２】
特に腫瘍の分野に関して、但しこれに限ったことではないが、非常に多くの種類の治療上の処置を行なうために、患者は、投与すべき薬剤を中に含む一連のバッグに連通するように配置された非経口用輸液ラインにつながれることが知られている。
【０００３】
各々のバッグは、一連の弁を利用して他のバッグから独立して輸液ラインに接続されており、患者に対する薬剤の計量投与は、連続して行なわれ、１回の薬剤の投与と、食塩水による洗浄を利用して輸液ラインを一掃する次の中間段階の間に置くことで、薬剤同士のいかなる種類の汚染も回避する。
【０００４】
換言すると、このような種類の治療上の処置は、以下の作業シーケンスで構成されており、このシーケンスは、第１薬剤を投与する、輸液ラインを一掃する、第２薬剤を投与する、輸液ラインを新たに一掃する、第３の薬剤を投与するなどである。
【０００５】
薬剤は、正確な治療上の処理を行なうために医師が命じた必要な投与量を収容する関連するバッグが完全に空になるまで、投与され続ける。
【０００６】
上記の投与量をバッグに充填する作業は、注意を要する準備段階において行なわれ、この準備段階において、病院スタッフが注意してバッグの中に必要な量を調薬する。
【０００７】
この作業を行なうために、病院の技術者は通常、自由裁量で薬剤を中に含んだ一連の瓶を有し、そこから彼／彼女が、複数の注射器（この場合、流体間のいかなる起こり得る汚染も避けるために各々の薬剤について１つずつ）を利用して必要な量を取り出し、これらをバッグの中に移動させる。
【０００８】
この目的のために、各々の注射器は、透明な材料でできた注射器本体で構成されており、その上に段階式の計測目盛りが示され、その内部には、摺動ピストンが密閉式に嵌め込まれておりこのピストンは、推力ロッドを利用して作業者によって手動で操作される。
【０００９】
薬剤を瓶から取り出し、調薬し、バッグに移動させる全体の作業は、完全に手動で行なわれ、いかなる自動化された作業も含まず、注射器本体の内部の各々の薬剤は、目盛り付きスケールに示される事前設定された量に達するまで吸い上げられ、その後注射器の内容物を関連するバッグの中に計量投与する。
【００１０】
当業者によって容易に理解されるように、この作業シーケンスは、一連の欠点を含んでおり、これには薬剤を正確に移動させ調薬するためには、作業者の体力、能力および経験が、このような作業を行なうのに全て重要となる点が含まれる。
【００１１】
この点に関して、かなりの頻度でこのような作業が行なわれることにより、作業者の手に痛みおよび／または外傷が生じることが多く、作業者は、推力ロッドを手動で押すことにより、注射器内に薬剤を吸い上げ、その後それらを計量分配しなければならない。
【００１２】
同時に、注射器の中の薬剤の正確な調薬作業は、作業員の注意力と技能にのみ頼っており、間違った量が投与された場合、患者に投与する段階において、医師が命じた治療が良い結果で終えることを損なうリスクがあることを無視することはできない。
【００１３】
この点に関して、調薬作業が繰り返され、単調であることにより、作業員が任務を果たす際に彼／彼女の注意力が欠落するリスクが高まり、その結果不正確かつ不適切な投与量になる可能性があることを強調すべきである。
【発明の概要】
【発明が解決しようとする課題】
【００１４】
本発明の主たる目的は、病院の容器間で生物医学的流体の移動と調薬を行なうためのデバイスを提供することであり、このデバイスは、携帯型で用途が広く、実用的で、簡単で、機能的かつ正確な方法で、生物医学的流体の調薬を可能にし、通常の利用手順および／または作業スケジュールを変えることなく、作業員の側の労力を緩和させ、その結果生じる事故／外傷の発生を低下させ、人為ミスのリスクを抑えることができる。
【００１５】
本発明の別の目的は、病院の容器間で生物医学的流体の移動と調薬を行なうためのデバイスを提供することであり、このデバイスにより、使用するのに簡素で、合理的で容易かつ効果的なだけではなく、低コストな解決法の範囲で上記に述べた当分野の最新技術の欠点を克服することができる。
【課題を解決するための手段】
【００１６】
上記の目的は、病院の容器間で生物医学的流体の移動と調薬を行なうための本デバイスによって達成され、このデバイスは、生物医学的流体を格納するための少なくとも１つの注射器本体と、該注射器本体内を摺動するように密閉式に嵌め込まれた少なくとも１つのピストンとを備え、該注射器本体が、そこから生物医学的流体を取り出す少なくとも１つの第１の容器と、その中で該生物医学的流体を計量投与する少なくとも１つの第２の容器を結合する手段を有する第１の先端と、該第１の先端の反対側にある第２の先端とを備えており、
−ユーザが手動で把持するためのものであり、注射器本体の該第２の先端を固定するための結合シートを有するハンドルと、
−該ピストンを押すのに適した推力ロッドを操作するために該ハンドル内に設置された電動式手段と、
−該結合シートと、注射器本体の該第２の先端の間に配置された第１の一時固定手段と、
−該ピストンと、該推力ロッドの間に配置された第２の一時固定手段と、
−該ハンドル上に設置された制御手段であって、該電動式手段に対応付けられ、該第１の容器から取り出す該生物医学的流体の量と、該第２の容器に計量投与する該生物医学的流体の量の両方を容積測定式に投与するのに適した制御手段とを備えることを特徴とする。
【００１７】
本発明の他の特徴および利点は、病院の容器間で生物医学的流体の移動と調薬を行なうためのデバイスの好ましい、但し唯一ではない、実施形態の記載からより明らかになると思われ、この実施形態は、純粋に１つの例として例示されており、添付の図面に限定されるものではない。
【図面の簡単な説明】
【００１８】
【図１】生物医学的流体を移動させ調薬するために本発明によるデバイスを利用する輸液ラインを示す前方部分概略図である。
【図２】本発明によるデバイスの分解組立部分概略図である。
【図３】図２のデバイスの側面図である。
【発明を実施するための形態】
【００１９】
特にこのような図面を参照すると、病院の容器間で生物医学的流体の移動と調薬を行なうためのデバイスは、全体を１で示されている。
【００２０】
この点に関して、この論文において用語「生物医学的流体」は、医療／病院の分野において使用される何らかの液体を指しており、バッグや他の容器を利用して患者に投与されることが意図されており、この流体は、正確に事前に調薬される必要がある。
【００２１】
図１に示される特定の実施形態では、生物医学的流体は、一連の薬剤Ｆ１、Ｆ２、Ｆ３、Ｆ４で構成されており、例えば腫瘍の治療で利用することを目的として、例えば瓶などの同数の第１の容器Ｒ１、Ｒ２、Ｒ３、Ｒ４の中に収容される。
【００２２】
瓶Ｒ１、Ｒ２、Ｒ３、Ｒ４から、生物医学的流体Ｆ１、Ｆ２、Ｆ３、Ｆ４を取り出し、バッグなどのタイプの同数の第２の容器Ｐ１、Ｐ２、Ｐ３、Ｐ４に計量投与する必要があり、これらの第２の容器は、食塩水ＣのバッグＳを有し固有の遮断弁手段Ｖを有する輸液ラインＬにつながれている。
【００２３】
生物医学的流体Ｆ１、Ｆ２、Ｆ３、Ｆ４を移動させ調薬するために、複数のデバイス１、すなわち各々の薬剤Ｆ１、Ｆ２、Ｆ３、Ｆ４に１つずつのデバイス１を利用することが企図されている。
【００２４】
各々のデバイス１は、生物医学的流体Ｆ１、Ｆ２、Ｆ３、Ｆ４を収容するための注射器本体２と、注射器本体２の中を摺動するように密閉式に嵌め込まれたピストン３とを備える。
【００２５】
注射器本体２は、例えば円筒形の管状要素で構成されており、これは、透明、色付きまたは光沢のないプラスチック材料（ポリウレタン、ポリカーボネート、ポリエチレンなど）でできている。
【００２６】
注射器本体２の寸法は通常、必要な収容力（例えば１０ｍｌ、２０ｍｌ、３０ｍｌ、５０ｍｌ、６０ｍｌ）によって変化する場合がある。
【００２７】
注射器本体２は、第１の容器Ｒ１、Ｒ２、Ｒ３、Ｒ４および第２の容器Ｐ１、Ｐ２、Ｐ３、Ｐ４に結合するための結合手段４を有する第１の先端２ａと、第１の先端２ａの反対側の第２の先端２ｂとを有する。
【００２８】
より詳細には、第１の先端２ａは、結合手段４を支える先端キャップ５で終端しており、これは好ましくはルアーおよびルアーロック式である。
【００２９】
一方第２の先端２ｂは、中心穴７を有する断面の分離壁６を画定するように成形されている。
【００３０】
実際は注射器２、ピストン３および先端キャップ５で構成された全体が、交換可能なカートリッジ８を構成しており、これは、既に組み立てられており、ピストン３が、第１の先端２ａを介して注射器２に既に嵌め込まれ、第１の先端２ａが、先端キャップ５を利用して再び閉鎖された状態で市場で流通させることができる。
【００３１】
各々のデバイス１はまた、ユーザが手で把持するためのハンドル９を備えており、このハンドルは、注射器２の第２の先端２ｂを固定するための結合シート１０を有する。
【００３２】
ハンドル９は、人間工学的な形状であり、少なくとも一部が、滑り止め材１１であることにより、ユーザの手が固着し易くし、把持し易くなっている。
【００３３】
ハンドル９の中に電動式手段１２が嵌め込まれることで、ピストン３を押すのに好適に推力ロッド１３を駆動する。
【００３４】
電動式手段１２は、例えば推力ロッド１３に接続された線形アクチュエータで構成されており、推力ロッド１３の直線の往復運動を実現するのに適している。
【００３５】
電動式手段１２は、ハンドル９に設置された電源電池１４に対応付けられており、電源電池１４は好ましくは、充電式のものであり、充電ステーションに接続するために２つの端子１５に対応付けられているが、代替として、これが１つまたは複数の使い捨てタイプの電池で構成されることも除外することはできない。
【００３６】
カートリッジ８は、断面の分離壁６を結合シート１０に向けてハンドル９に嵌め込まれることが意図されており、これに対応して推力ロッド１３がハンドル９から突出し、移行穴７を横断してピストン３を操作することが意図されている。
【００３７】
結合シート１０と、注射器本体２の第２の先端２ｂの間に、第１の一時固定手段１６、１７を配置することで、カートリッジ８をハンドル９に差し込み嵌合させる。
【００３８】
同様にピストン３と、推力ロッド１３の間に、第２の一時固定手段１８、１９が配置されることで、ピストン３を推力ロッド１３に接続し、推力ロッド１３によってピストン３を引っ張るように移動させることが可能になる。
【００３９】
第１の一時固定手段１６、１７と、第２の一時固定手段１８、１９は、例えばバヨネット式であるが、代替としてそれらが差し込まれる、あるいは摩擦などによる接続部で構成されることも除外することはできない。
【００４０】
さらにハンドル９には、制御手段２０、２１が嵌め込まれ、これらは、電動式手段１２に対応付けられ、その動作を制御するのに好適であり、第１の容器Ｒ１、Ｒ２、Ｒ３、Ｒ４から取り出すべき生物医学的流体Ｆ１、Ｆ２、Ｆ３、Ｆ４の量と、第２の容器Ｐ１、Ｐ２、Ｐ３、Ｐ４に計量投与すべき生物医学的流体Ｆ１、Ｆ２、Ｆ３、Ｆ４の量の両方の微少容積測定式の投与量を含めた容積測定の投与量を実現する。
【００４１】
制御手段２０、２１は、処理および制御装置２０と、キーパッドなどのタイプの制御インターフェース２１とを備えることで、電動式手段１２を制御し、ユーザの要件に従って処理および制御装置２０を開始／停止／設定するように設計されている。
【００４２】
この目的のために、処理および制御手段２０が、実用的にはプログラム可能なタイプであることにより、取り出すおよび／または計量投与すべき量の生物医学的流体Ｆ１、Ｆ２、Ｆ３、Ｆ４を設定することができる。
【００４３】
この場合、処理および制御装置２０は、ひとたび設定されると、取り出すおよび／または計量投与すべき量の生物医学的流体Ｆ１、Ｆ２、Ｆ３、Ｆ４に対応した往復運動の一部分にわたって推力ロッド３を独立して操作することが可能である。
【００４４】
代替として、注射器本体２が、目盛り付きスケール２２を示す場合もあり、生物医学的流体Ｆ１、Ｆ２、Ｆ３、Ｆ４の取り出し／計量投与段階におけるピストン３の停止は、ユーザの注意と技能に委ねられている。
【００４５】
ハンドル９はまた、電子ディスプレイなどのタイプのディスプレイ手段２３を有しており、これは処理および制御装置２０の作動パラメータを示すのに適しており、より一般的にはユーザによって有益な全てのタイプの情報を示すのに適している。
【００４６】
またハンドル９には、注射器本体２とピストン３の少なくとも一方を識別するための識別手段２４が設けられる。
【００４７】
識別手段２４は、処理および制御装置２０に電子的に対応付けられており、注射器本体２および／またはピストン３が識別されない場合、電動式手段１２の作動を阻止するのに適している。
【００４８】
この特定の解決法により、ハンドル９を、製造元が保証されたカートリッジ８と共に正しく使用することが保証され、これにより
−ハンドル９が、３級の製造者によって作製されたカートリッジ８と共に使用されることを阻止し、
−消費者にカートリッジ８の高い品質と機能性を保証し、  
−法的に認められた製造者／供給業者の市場独占率を保護する。
【００４９】
識別手段２４は、バーコードリーダー、光リーダー、電磁リーダーを有するリストから選択された特定のリーダーのタイプである。
【００５０】
図面に示される本発明の特定の実施形態では、例えば識別手段２４は、バーコードリーダーで構成されており、これは断面分離壁６上に示されるバーコード２５を認識するように設計されている。
【００５１】
しかしながら、識別手段２４が、例えばＲＦＩＤ磁気認識システムで構成された異なるタイプである代替の実施形態も除外することはできない。
【００５２】
ハンドル９は、第１の一時固定手段１６、１７と、第２の一時固定手段１８、１９の正確な結合状態を認識するための手段を備える。
【００５３】
このような認識手段は、図面には詳細には示されていないが、処理および制御装置２０に対応付けられており、第１の一時固定手段１６、１７と、第２の一時固定手段１８、１９の結合状態が正しくない場合、電動式手段１２の作動を阻止するのに適している。
【００５４】
このようにして作製された認識手段によって、デバイス１は、注射器本体２とピストン３の両方が、差し込み結合によって結合シート１０と、推力ロッド１３それぞれに安定して結合された場合に限って、最大限に安全な状態で作動することにより、使用中にそれらが偶発的に解体するのを防ぐことができる。
【００５５】
本発明は以下のように作動する。
【００５６】
各々のハンドル９は、不定数のカートリッジ８の寿命が終わるときに、これらカートリッジと共に簡便に使用されることを考慮して作成されているため、これらのカートリッジはハンドル９から分離され、取り外され、新しいものと交換することができる。
【００５７】
各々のカートリッジ８の寿命の開始時に、これはハンドル９に結合され、注射器２を注意深く結合シート１０に正確に結合させる。
【００５８】
第１の一時固定手段１６、１７が、ひとたび結合されると、処理および制御装置２０は、推力ロッド１３がピストンと結合するまで、これを前方に移動させるように自動的に命令する。
【００５９】
この段階において、処理および制御装置２０は、識別手段２４を利用してカートリッジ８を特定する段階に入り、第１の一時固定手段１６、１７および第２の一時固定手段１８、１９が正確に結合されていることの認識を行ない、それが良い結果である場合、電動式手段１２の次の動作が可能になる。
【００６０】
この時点で、全てのユーザがするべきことは、結合手段４を対応する第１の容器Ｒ１、Ｒ２、Ｒ３、Ｒ４に接続し、制御手段２０、２１を利用して必要な量の生物医学的流体Ｆ１、Ｆ２、Ｆ３、Ｆ４の抜き取りを行い、注射器２を満たすことである。
【００６１】
その後、結合手段４を第２の対応する容器Ｐ１、Ｐ２、Ｐ３、Ｐ４に結合することによって、生物医学的流体Ｆ１、Ｆ２、Ｆ３、Ｆ４を計量投与することができ、デバイス１は、次に稼働するための準備を整える。
【００６２】
同一のハンドル９と、同一のカートリッジ８を使用することで、全ての移動は、注射器２およびピストン３の通常の寿命に従って企図された生物医学的流体Ｆ１、Ｆ２、Ｆ３、Ｆ４で構成することができる。
【００６３】
最初の使用からいろいろ使用した後、かつしばらく経ってから、カートリッジ８が、消耗され汚れてしまうため、先に記載し示したものと同様のやり方で新しいものと交換する必要がある。
【００６４】
図１に示される実施形態において既に述べた様に、複数のデバイス１、または少なくとも複数のハンドル９を各々の薬剤Ｆ１、Ｆ２、Ｆ３、Ｆ４に対して１つずつ使用することが企図されているが、１つのみのハンドル９と、複数のカートリッジ８をハンドル９と共に交互に使用することで、薬剤Ｆ１、Ｆ２、Ｆ３、Ｆ４の移動させることを阻止するものではなく、各々のカートリッジ８をハンドル９および１つのみの薬剤Ｆ１、Ｆ２、Ｆ３、Ｆ４と共に使用するように注意する。
【符号の説明】
【００６５】
１  デバイス
２  注射器本体
２ａ  第１の先端
２ｂ  第２の先端
３  ピストン
４  結合手段
５  先端キャップ
６  断面の分離壁
７  中心穴
８  カートリッジ
９  ハンドル
１０  結合シート
１１  滑り止め材
１２  電動式手段
１３  推力ロッド
１４  電源電池
１５  端子
１６、１７  第１の一時固定手段
１８、１９  第２の一時固定手段
２０  制御装置
２１  制御インターフェース
２２  目盛り付きスケール
２３  ディスプレイ手段
２４  識別手段
２５  バーコード
Ｃ  食塩水
Ｆ１、Ｆ２、Ｆ３、Ｆ４  生物医学的流体
Ｌ  輸液ライン
Ｐ１、Ｐ２、Ｐ３、Ｐ４  第２の容器
Ｒ１、Ｒ２、Ｒ３、Ｒ４  第１の容器
Ｓ  食塩水のバッグ
Ｖ  遮断弁手段
【図１】
2013542802.tif 000003
【図２】
2013542802.tif 000004
【図３】
2013542802.tif 000005
【国際調査報告】
2013542802.tif 000006
2013542802.tif 000007